【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
ワイヤレス通信システムにおいてマシンタイプ通信（ＭＴＣ）を容易にするための方法であって、
ＭＴＣデバイスにおいて、ＭＴＣ固有システム情報ブロックを受信することと、ここにおいて、前記ＭＴＣ固有システム情報ブロックは、第１のシステム情報ブロック中に含まれる第１のシステム情報と、第２のシステム情報ブロック中に含まれる第２のシステム情報とを備え、
前記ＭＴＣデバイスにおいて、前記ＭＴＣ固有システム情報ブロックを処理することと、
を備える方法。
【請求項２】
前記第１のシステム情報ブロックおよび前記第２のシステム情報ブロックは、各々
システム情報ブロック１（ＳＩＢ１）、システム情報ブロック２（ＳＩＢ２）、およびシステム情報ブロック１２（ＳＩＢ１２）からなるグループから選択される、請求項１に記載の方法。
【請求項３】
前記ＭＴＣ固有システム情報ブロックは、
前記第１のシステム情報ブロックまたは前記第２のシステム情報ブロック中に含まれるシステム情報のサブセットからなる、請求項１に記載の方法。
【請求項４】
前記第１のシステム情報ブロックまたは前記第２のシステム情報ブロック中に含まれるシステム情報の前記サブセットは、
システム情報ブロック１（ＳＩＢ１）、システム情報ブロック２（ＳＩＢ２）、またはシステム情報ブロック１２（ＳＩＢ１２）を備える、請求項３に記載の方法。
【請求項５】
前記ＭＴＣ固有システム情報ブロックは、
セルアクセス情報、他のシステム情報ブロックのためのスケジューリング情報、および無線リソース構成情報のためのフィールドを備える、請求項１に記載の方法。
【請求項６】
前記ＭＴＣ固有システム情報ブロックは、
セルアクセス情報およびセル選択情報のためのフィールド、または
他のシステム情報ブロックのためのスケジューリング情報のためのフィールドを備える、請求項１に記載の方法。
【請求項７】
前記ＭＴＣ固有システム情報ブロックは、
ＭＴＣランダムアクセスチャネル（ＲＡＣＨ）構成情報またはＭＴＣページングチャネル構成情報のためのフィールドを備える、請求項１に記載の方法。
【請求項８】
前記ＭＴＣ固有システム情報ブロックは、
物理アップリンク共有チャネル（ＰＵＳＣＨ）構成情報、電力制御、およびタイマーのためのフィールドからなる、請求項１に記載の方法。
【請求項９】
前記ＭＴＣ固有システム情報ブロックは、
物理アップリンク制御チャネル（ＰＵＳＣＨ）構成情報およびサウンディング基準信号（ＳＲＳ）構成情報以外の、無線リソース構成情報のためのフィールドを備える、請求項１に記載の方法。
【請求項１０】
前記ＭＴＣ固有システム情報ブロックは、１つまたは複数の所定のロケーションにある、請求項１に記載の方法。
【請求項１１】
前記１つまたは複数の所定のロケーションは、セルＩＤ、サイクリックプレフィックス長、および分割デュプレックス構成の関数である、請求項１０に記載の方法。
【請求項１２】
ＭＴＣ物理ブロードキャストチャネルを介して、前記ＭＴＣ固有システム情報ブロックの１つまたは複数のロケーションに関する情報を受信すること、
をさらに備える、請求項１に記載の方法。
【請求項１３】
前記ＭＴＣデバイスのスリープ時間が持続期間を超えると決定することと、
前記決定されたスリープ時間が前記持続期間を超えるとき、前記ＭＴＣ固有システム情報ブロックを読み取ることと、
をさらに備える、請求項１に記載の方法。
【請求項１４】
ワイヤレス通信システムにおいてマシンタイプ通信（ＭＴＣ）を容易にするための装置であって、
前記装置において、ＭＴＣ固有システム情報ブロックを受信するための手段と、ここにおいて、前記ＭＴＣ固有システム情報ブロックは、第１のシステム情報ブロック中に含まれる第１のシステム情報と、第２のシステム情報ブロック中に含まれる第２のシステム情報とを備え、
前記装置において、前記ＭＴＣ固有システム情報ブロックを処理するための手段と、
を備える装置。
【請求項１５】
前記ＭＴＣ固有システム情報ブロックが、
前記第１のシステム情報ブロックまたは前記第２のシステム情報ブロック中に含まれるシステム情報のサブセットからなる、請求項１４に記載の装置。
【請求項１６】
ＭＴＣ物理ブロードキャストチャネルを介して、前記ＭＴＣ固有システム情報ブロックの１つまたは複数のロケーションに関する情報を受信するための手段、
をさらに備える、請求項１４に記載の装置。
【請求項１７】
前記装置のスリープ時間が持続期間を超えると決定するための手段と、
前記決定されたスリープ時間が前記持続期間を超えるとき、前記ＭＴＣ固有システム情報ブロックを読み取るための手段と、
をさらに備える、請求項１４に記載の装置。
【請求項１８】
ワイヤレス通信システムにおいてマシンタイプ通信（ＭＴＣ）を容易にするための装置であって、
プロセッサと、
前記プロセッサと電子通信しているメモリと、
前記メモリに記憶された命令と、を備え、前記命令は、
前記装置において、ＭＴＣ固有システム情報ブロックを受信することと、ここにおいて、前記ＭＴＣ固有システム情報ブロックは、第１のシステム情報ブロック中に含まれる第１のシステム情報と、第２のシステム情報ブロック中に含まれる第２のシステム情報とを備え、
前記ＭＴＣ固有システム情報ブロックを処理することと、
を前記装置に行わせるように前記プロセッサによって実行可能である、装置。
【請求項１９】
前記ＭＴＣ固有システム情報ブロックは、
前記第１のシステム情報ブロックまたは前記第２のシステム情報ブロック中に含まれるシステム情報のサブセットからなる、請求項１８に記載の装置。
【請求項２０】
前記ＭＴＣ固有システム情報ブロックは、１つまたは複数の所定のロケーションにある、請求項１８に記載の装置。
【請求項２１】
前記命令は、
ＭＴＣ物理ブロードキャストチャネルを介して、前記ＭＴＣ固有システム情報ブロックの１つまたは複数のロケーションに関する情報を受信すること
を前記装置に行わせるように前記プロセッサによって実行可能である、請求項１８に記載の装置。
【請求項２２】
前記命令は、
前記装置のスリープ時間が持続期間を超えると決定することと、
前記決定されたスリープ時間が前記持続期間を超えるとき、前記ＭＴＣ固有システム情報ブロックを読み取ることと、
を前記装置に行わせるように前記プロセッサによって実行可能である、請求項１８に記載の装置。
【請求項２３】
ワイヤレス通信システムにおけるマシンタイプ通信（ＭＴＣ）のためのコードを記憶する非一時的コンピュータ可読媒体であって、前記コードは、
ＭＴＣデバイスにおいて、ＭＴＣ固有システム情報ブロックを受信することと、ここにおいて、前記ＭＴＣ固有システム情報ブロックは、第１のシステム情報ブロック中に含まれる第１のシステム情報と、第２のシステム情報ブロック中に含まれる第２のシステム情報とを備え、
前記ＭＴＣデバイスにおいて、前記ＭＴＣ固有システム情報ブロックを処理することと、
を行うように実行可能な命令を備える、非一時的コンピュータ可読媒体。
【請求項２４】
前記ＭＴＣ固有システム情報ブロックは、
前記第１のシステム情報ブロックまたは前記第２のシステム情報ブロック中に含まれるシステム情報のサブセットからなる、請求項２３に記載の非一時的コンピュータ可読媒体。
【請求項２５】
前記命令は、
ＭＴＣ物理ブロードキャストチャネルを介して、前記ＭＴＣ固有システム情報ブロックの１つまたは複数のロケーションに関する情報を受信すること、
を行うように実行可能である、請求項２３に記載の非一時的コンピュータ可読媒体。
【請求項２６】
前記命令は、
前記ＭＴＣデバイスのスリープ時間が持続期間を超えると決定することと、
前記決定されたスリープ時間が前記持続期間を超えるとき、前記ＭＴＣ固有システム情報ブロックを読み取ることと、
を行うように実行可能である、請求項２３に記載の非一時的コンピュータ可読媒体。
【手続補正２】
【補正対象書類名】明細書
【補正対象項目名】０２０６
【補正方法】変更
【補正の内容】
【０２０６】
[0227]本開示についての以上の説明は、当業者が本開示を作成または使用することができるように提供される。本開示への様々な修正は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる選好をも暗示せず、または必要としない。したがって、本開示は、本明細書で説明される例および設計に限定されるべきでなく、本明細書で開示される原理および新規の特徴に合致する最も広い範囲を与えられるべきである。
以下に本願発明の当初の特許請求の範囲に記載された発明を付記する。
［Ｃ１］
ワイヤレス通信システムにおいてマシンタイプ通信（ＭＴＣ）を容易にするための方法であって、
ＭＴＣデバイスにおいて、１つまたは複数のＭＴＣ固有システム情報ブロックを受信することと、
前記ＭＴＣデバイスにおいて、前記１つまたは複数のＭＴＣ固有システム情報ブロックを処理することと、
を備える方法。
［Ｃ２］
前記ＭＴＣ固有システム情報ブロックのうちの１つは、
２つ以上の他のシステム情報ブロック中に含まれるシステム情報の組合せを備える、Ｃ１に記載の方法。
［Ｃ３］
前記２つ以上の他のシステム情報ブロックは、
システム情報ブロック１（ＳＩＢ１）、システム情報ブロック２（ＳＩＢ２）、またはシステム情報ブロック１２（ＳＩＢ１２）のうちの少なくとも１つを備える、Ｃ２に記載の方法。
［Ｃ４］
前記ＭＴＣ固有システム情報ブロックのうちの１つは、
１つの他のシステム情報ブロック中に含まれるシステム情報のサブセットからなる、Ｃ１に記載の方法。
［Ｃ５］
前記他のシステム情報ブロックは、
システム情報ブロック１（ＳＩＢ１）、システム情報ブロック２（ＳＩＢ２）、またはシステム情報ブロック１２（ＳＩＢ１２）を備える、Ｃ４に記載の方法。
［Ｃ６］
前記ＭＴＣ固有システム情報ブロックのうちの１つは、
セルアクセス情報、他のシステム情報ブロックのためのスケジューリング情報、および無線リソース構成情報のためのフィールドを備える、Ｃ１に記載の方法。
［Ｃ７］
前記ＭＴＣ固有システム情報ブロックのうちの１つは、
セルアクセス情報およびセル選択情報のためのフィールド、または
他のシステム情報ブロックのためのスケジューリング情報のためのフィールドを備える、Ｃ１に記載の方法。
［Ｃ８］
前記ＭＴＣ固有システム情報ブロックのうちの１つは、
ＭＴＣランダムアクセスチャネル（ＲＡＣＨ）構成情報またはＭＴＣページングチャネル構成情報のためのフィールドを備える、Ｃ１に記載の方法。
［Ｃ９］
前記ＭＴＣ固有システム情報ブロックのうちの１つは、
物理アップリンク共有チャネル（ＰＵＳＣＨ）構成情報、電力制御、およびタイマーのためのフィールドからなる、Ｃ１に記載の方法。
［Ｃ１０］
前記ＭＴＣ固有システム情報ブロックのうちの１つは、
物理アップリンク制御チャネル（ＰＵＳＣＨ）構成情報およびサウンディング基準信号（ＳＲＳ）構成情報以外の、無線リソース構成情報のためのフィールドを備える、Ｃ１に記載の方法。
［Ｃ１１］
前記１つまたは複数のＭＴＣ固有システム情報ブロックは、１つまたは複数の所定のロケーションにある、Ｃ１に記載の方法。
［Ｃ１２］
前記１つまたは複数の所定のロケーションは、セルＩＤ、サイクリックプレフィックス長、および分割デュプレックス構成の関数である、Ｃ１１に記載の方法。
［Ｃ１３］
ＭＴＣ物理ブロードキャストチャネルを介して、前記ＭＴＣ固有システム情報ブロックの１つまたは複数のロケーションに関する情報を受信すること、
をさらに備える、Ｃ１に記載の方法。
［Ｃ１４］
前記ＭＴＣデバイスのスリープ時間が持続期間を超えると決定することと、
前記決定されたスリープ時間が前記持続期間を超えるとき、前記ＭＴＣ固有システム情報ブロックのうちの１つを読み取ることと、
をさらに備える、Ｃ１に記載の方法。
［Ｃ１５］
ワイヤレス通信システムにおいてマシンタイプ通信（ＭＴＣ）を容易にするための装置であって、
前記装置において、１つまたは複数のＭＴＣ固有システム情報ブロックを受信するための手段と、
前記装置において、前記１つまたは複数のＭＴＣ固有システム情報ブロックを処理するための手段と、
を備える装置。
［Ｃ１６］
前記ＭＴＣ固有システム情報ブロックのうちの１つは、
２つ以上の他のシステム情報ブロック中に含まれるシステム情報の組合せを備える、Ｃ１５に記載の装置。
［Ｃ１７］
前記ＭＴＣ固有システム情報ブロックのうちの１つが、
１つの他のシステム情報ブロック中に含まれるシステム情報のサブセットからなる、Ｃ１５に記載の装置。
［Ｃ１８］
ＭＴＣ物理ブロードキャストチャネルを介して、前記ＭＴＣ固有システム情報ブロックの１つまたは複数のロケーションに関する情報を受信するための手段、
をさらに備える、Ｃ１５に記載の装置。
［Ｃ１９］
前記装置のスリープ時間が持続期間を超えると決定するための手段と、
前記決定されたスリープ時間が前記持続期間を超えるとき、前記ＭＴＣ固有システム情報ブロックのうちの１つを読み取るための手段と、
をさらに備える、Ｃ１５に記載の装置。
［Ｃ２０］
ワイヤレス通信システムにおいてマシンタイプ通信（ＭＴＣ）を容易にするための装置であって、
プロセッサと、
前記プロセッサと電子通信しているメモリと、
前記メモリに記憶された命令と、を備え、前記命令は、
前記装置において、１つまたは複数のＭＴＣ固有システム情報ブロックを受信することと、
前記１つまたは複数のＭＴＣ固有システム情報ブロックを処理することと、
を行うように前記プロセッサによって実行可能である、装置。
［Ｃ２１］
前記ＭＴＣ固有システム情報ブロックのうちの１つは、
２つ以上の他のシステム情報ブロック中に含まれるシステム情報の組合せを備える、Ｃ２０に記載の装置。
［Ｃ２２］
前記ＭＴＣ固有システム情報ブロックのうちの１つは、
１つの他のシステム情報ブロック中に含まれるシステム情報のサブセットからなる、Ｃ２０に記載の装置。
［Ｃ２３］
前記１つまたは複数のＭＴＣ固有システム情報ブロックは、１つまたは複数の所定のロケーションにある、Ｃ２０に記載の装置。
［Ｃ２４］
前記命令は、
ＭＴＣ物理ブロードキャストチャネルを介して、前記ＭＴＣ固有システム情報ブロックの１つまたは複数のロケーションに関する情報を受信することを行うように前記プロセッサによって実行可能である、Ｃ２０に記載の装置。
［Ｃ２５］
前記命令は、
前記装置のスリープ時間が持続期間を超えると決定することと、
前記決定されたスリープ時間が前記持続期間を超えるとき、前記ＭＴＣ固有システム情報ブロックのうちの１つを読み取ることと、
を行うように前記プロセッサによって実行可能である、Ｃ２０に記載の装置。
［Ｃ２６］
ワイヤレス通信システムにおいてマシンタイプ通信（ＭＴＣ）を容易にするためのコンピュータプログラム製品であって、
ＭＴＣデバイスにおいて、１つまたは複数のＭＴＣ固有システム情報ブロックを受信することと、
前記ＭＴＣデバイスにおいて、前記１つまたは複数のＭＴＣ固有システム情報ブロックを処理することと、
を行うようにプロセッサによって実行可能な命令を記憶する非一時的コンピュータ可読媒体を備える、コンピュータプログラム製品。
［Ｃ２７］
前記ＭＴＣ固有システム情報ブロックのうちの１つは、
２つ以上の他のシステム情報ブロック中に含まれるシステム情報の組合せを備える、Ｃ２６に記載のコンピュータプログラム製品。
［Ｃ２８］
前記ＭＴＣ固有システム情報ブロックのうちの１つは、
１つの他のシステム情報ブロック中に含まれるシステム情報のサブセットからなる、Ｃ２６に記載のコンピュータプログラム製品。
［Ｃ２９］
前記命令は、
ＭＴＣ物理ブロードキャストチャネルを介して、前記ＭＴＣ固有システム情報ブロックの１つまたは複数のロケーションに関する情報を受信すること、
を行うように前記プロセッサによって実行可能である、Ｃ２６に記載のコンピュータプログラム製品。
［Ｃ３０］
前記命令は、
前記ＭＴＣデバイスのスリープ時間が持続期間を超えると決定することと、
前記決定されたスリープ時間が前記持続期間を超えるとき、前記ＭＴＣ固有システム情報ブロックのうちの１つを読み取ることと、
を行うように前記プロセッサによって実行可能である、Ｃ２６に記載のコンピュータプログラム製品。